(57)【要約】      （修正有）【課題】ロックのし忘れが生じない連結環を提供する。【解決手段】少なくとも２箇所の端部11a,11bを有する本体1と、該本体1の一方の端部11aに前記２箇所の端部間を繋ぐ錠桿2の一端を枢着し、前記錠桿2の他端が前記他方の端部11bに接するか限りなく近接することで閉じる形式の連結環であって、結合部２７に形成の一方の軸孔２６ａから前記割溝２２内に挿入した前記結合片１３の軸摺動孔１４を通して他方の軸孔２６ｂに枢軸５を挿入して枢軸継ぎ手を形成し、前記連結環本体１の他方の端面１２ｂに穿設した係止穴１５と前記錠桿２の他方の端面２１ｂに前記係止穴１５内に挿入することで係止せしめる突桿６を稙設すると共に、前記割溝２２の底部２３に押圧桿３と該押圧桿３の径小部３２に嵌着し該押圧桿を付勢するスプリング４を挿入し得る案内穴２４を設ける。【選択図】  図８
2004360783.tif 000002
【特許請求の範囲】
【請求項１】
少なくとも２箇所の端部１１ａ，１１ｂを有する連結環本体１と、該連結環本体１の一方の端部１１ａに前記２箇所の端部間を繋ぐ錠桿２の一端を枢着し、前記錠桿２の他端が前記他方の端部１１ｂに接するか限りなく近接することで前記２箇所の端部間を閉じる形式の連結環であって、前記連結環本体１の一方の端部１１ａに結合片１３を形成して該結合片１３の根部にＬ字状の軸摺動孔１４を設け、前記錠桿２の一端に前記結合片１３の幅より若干幅広でその長さよりも深い割溝２２と該割溝２２と前記一端側に前記割溝２２と交差する一対の軸孔２６ａ，２６ｂとを設けて二股状の結合部２７とし、該結合部２７に形成の一方の軸孔２６ａから前記割溝２２内に挿入した前記結合片１３の軸摺動孔１４を通して他方の軸孔２６ｂに枢軸５を挿入して枢軸継ぎ手を形成し、前記連結環本体１の他方の端面１２ｂに穿設した係止穴１５と前記錠桿２の他方の端面２１ｂに前記係止穴１５内に挿入することで係止せしめる突桿６を植設すると共に、前記割溝２２の底部２３に押圧桿３と該押圧桿を付勢するスプリング４を挿入し得る案内穴２４を設けたことを特徴とする連結環。
【請求項２】
Ｌ字状の軸摺動孔１４を構成する垂直孔１６の長さが前記突桿６の表出部分が前記係止穴１５から抜け出るに十分な長さで、前記軸摺動孔１４を構成する水平孔１７の長さが前記枢軸５の直径の２倍よりも若干長い長さであることを特徴とする請求項１記載の連結環。
【請求項３】
Ｌ字状の軸摺動孔１４を構成する垂直孔１６の中心に対し連結環本体１の他方の端面に穿設した係止穴１５の中心線が若干反時計方向に傾斜していることを特徴とする請求項１ならびに請求項２記載の連結環。
【発明の詳細な説明】
【発明の属する技術分野】
この発明は、チェーン等の装身具に組み付けるかこれ自体を連続的に繋いで使用する連結環（ジョイント）に関するもので、さらに詳しく述べれば少なくとも２個所の端部を有する連結環本体と、該連結環本体の一方の端部に前記２箇所の端部間を繋ぐ錠桿の一端を枢着するに当たり前記錠桿の他端方向へ加わる弾力に抗して前記錠桿の枢着位置を可変することでロック状態を解除し得るようにした連結環に関するものである。
【従来の技術】
【０００１】
少なくとも２個所の端部を有する連結環本体と、該本体の一方の端部に前記２箇所の端部間を繋ぐ錠桿の一端を枢着し、前記錠桿の他端が前記他方の端部に接するか限りなく近接することで閉じる形式の連結環は公知である。前記した連結環本体に対し前記錠桿が枢軸を中心に回動するのをロックし、またロック状態を解除するために、前記枢着位置を一点から他点に移動させる構成のものがある。
【０００２】
その一つが特許文献１に示すように、フック形状の本体と、略Ｕ形を呈し、長片と短片と彎曲部とを備えた抜止め体とを具備し、前記本体の先端部に、抜止め体の彎曲部が本体の内方側から係止される係止部を形成し、又、前記本体の基端部に、抜止め体の長片の先端部が回転自在に挿通係止される第１取付け孔と、該第１取付け孔と係止部との間で且つ両者を結ぶ直線Ｌよりも本体の内方側位置に抜止め体の短片の先端部が回転自在に挿通係止される第２取付け孔とを夫々穿設し、前記抜止め体は彎曲部が抜止め体自身の弾性力により本体の係止部側へ付勢されるように、長片及び短片の先端部が第１取付け孔及び第２取付け孔へ夫々回転自在に挿通係止する構成のものである。
【０００３】
また、他の一つは特許文献２に示すように、フック本体に形設した枢着部に開閉部材の側板を添接させ、開閉部材枢軸を側板部に挿設し、枢軸後方で側板と枢着部にくの字状の屈曲長孔をそれぞれ設け、該屈曲長孔に移動自在にロック部材を挿設し、屈曲長孔の上側長孔部を、枢軸を中心とする円弧線上に設定し、下側長孔部は枢軸までの距離を漸進的に変えて設定した構成のものである。
【特許文献１】特開平７−２５９８３４号公報
【特許文献２】特開平８−３２００５３号公報
【発明が解決しようとする課題】
【０００４】
前者は本体の係止部に抜け止め体の湾曲部を深く係止するために前記本体に対し抜け止め体の回動の中心位置を変えるために前記本体に長穴を設けているが、この本体に一寸した衝撃が加わった場合に前記中心位置がずれて本体の係止部から抜け止め体の湾曲部が外れてしまうと言う欠点がある。
【０００５】
また、後者はこのような欠点をなくすために、本体に開平部材を枢着した枢軸とは別個に、本体ならびに開平部材の一端それぞれに設けたくの字状の長穴にロック部材を挿着し、前記ロック部材を前記したくの字状を呈する穴の一端側から他端側に移動させることでロックし得るようにしたものであるが、くの字状の長穴に沿ってロック部材を動かすのは面倒であり、構成部材も多く自動的にロックする訳でもないのでロックのし忘れが生じると言う欠点がある。
【課題を解決するための手段】
【０００６】
前記した従来技術での課題は、少なくとも２個所の端部を有する連結環本体と、該連結環本体の一方の端部に前記２箇所の端部間を繋ぐ錠桿の一端を枢着し、前記錠桿の他端が前記他方の端部に接するか限りなく近接することで閉じる形式の連結環であって、前記連結環本体の一方の端部を本体の厚み方向の両側から該連結環本体の厚さに比し十分に薄くして結合片を形成し、該結合片の根部にＬ字状の軸摺動孔を設け、前記錠桿の一端に前記結合片幅より若干幅広でその長さよりも深い割溝と、前記一端側に前記割溝と交差する軸孔とを設けて二股状の結合部とし、該結合部に形成の一方の軸孔から前記割溝内に挿入した結合片の軸摺動孔を通して他方の軸孔にピンを挿入してピン継ぎ手を形成し、前記連結環本体の他方の端面に穿設した係止穴と錠桿の他方の端部に前記係止穴に挿入することで係止せしめる突桿を植設すると共に、前記割り溝の底部に押圧桿と該押圧桿の径小部に嵌着し該押圧桿を付勢するスプリングを挿入し得る案内穴を設けると共に、Ｌ字状の軸摺動孔を構成する垂直孔の長さが前記突起が前記係止穴から抜け出るに十分な長さで、前記孔を構成する水平孔の長さが前記枢軸の直径の２倍よりも若干長い長さとすることで解決できる。
【発明の実施の形態】
この発明の連結環（ジョイント）は、連結環本体１，錠桿２，押圧桿３，スプリング４，枢軸５および突桿６とで構成される。
【０００７】
前記連結環本体１は図１および図３に示すように、実施例では断面が方形であるが断面が一定の広さであれば円形でも多角形でも良く、全体の形が略Ｃ字状をなし２個所の端部１１ａ，１１ｂを有し、一方の湾曲端側の大部分は水平線に対し略３０度の進み角度に傾斜した端面１２ａとし、他方の湾曲端は水平線に対し平行な端面１２ｂとして、前記本体の一方の端部１１ａから湾曲部分の中央部までの間を前記本体の厚み方向の両側から該本体の厚さの１／３程度づつ薄くして結合片１３を形成し、該結合片１３の根部にＬ字状の軸摺動孔１４を設け、他方の湾曲端側の端面１２ｂの中央部に中心線が若干反時計方向に傾斜している断面が円形または方形の係止穴１５を穿設した構成である。
前記したＬ字状の軸摺動孔１４を構成する垂直孔１６の中心線は前記本体の中心線より若干外側でかつ平行であって、垂直孔１６の下端とこれと連接する水平孔１７の左端、すなわち前記両孔１６，１７の中心線の交差する点が本体の幅の中央に位置し、前記垂直孔１６の長さａは後述する錠桿２の突桿６の表出高さｈよりも若干長い、言い換えれば前記係止穴１５から突桿６表出部分が抜け出るのに十分な長さで、また前記軸摺動孔１４を構成する前記垂直孔１６と中心線が直交する水平孔１７の長さｂは後述する枢軸５の直径ｄの２倍よりも若干長い長さであることが必要である。
【０００８】
錠桿２は、図２および図４に示すように断面が前記連結環本体１と同じ大きさの方形で前記本体の２箇所の端部１１ａ，１１ｂ間を前記結合片１３の長さだけオーバーラップする長さで全体の形が略Ｊ字状をなし、その一方の湾曲端側は垂直線と平行な端面２１ａとし、前記湾曲端側からその厚み方向の中央部に前記結合片１３の厚み幅より若干幅広でその長さよりも若干深い割溝２２と、前記湾曲端の端面２１ａから若干内側で、具体的には前記連結環本体１の結合片１３の突設端面１８と前記湾曲端の端面２１ａが接した状態で前記垂直孔１６の中心線と前記湾曲部中心線が交わる点より若干上方、前記した垂直孔１６の上端位置に前記割溝２２と交差する軸孔２６ａ，２６ｂとを設けて二股状の結合部２７を構成し、前記割溝２２の水平線に対し略３０度の進み角度に傾斜した底部２３の中心より若干内側に位置する個所には外側に傾斜する後述する押圧桿３と該押圧桿３の径小部３２に嵌着したスプリング４を挿入し得る案内穴２４を穿設し、他方の端側は水平線に対し平行な端面２１ｂとして、前記端面の中央部に穿設した挿着穴２５に前記係止穴１５に突入し得るよう断面が円形または方形の突桿６をその一部が前記垂直孔１６の長さａより若干短い寸法を表出するように圧入した構成である。
なお、前記突桿６は係止穴１５へ挿入し易いようにその先端部に面取りを施す。
【０００９】
押圧桿３は、図５に示すように前記案内穴の穴径より若干小径で前記案内穴２４の深さより若干長い円柱状で、その中央部から一方の端縁までが後述するスプリング４の内径より若干小径となり、大径部３１と小径部３２と区分される構成である。
【００１０】
スプリング４は、図５に示すように外径が前記案内穴２４径より小径で内径が前記押圧桿３の前記小径部３２の直径より若干大径でその長さは前記押圧桿３の小径部３２の長さより若干長いコイル状のものである。
【００１１】
枢軸５は図６〜８に示すように前記本体１および錠桿２の厚みよりもかしめ代だけ長く、前記軸摺動孔１４と軸孔２６ａ，２６ｂとに挿通し得る直径の円柱体である。
【００１２】
突桿６は、図４に示すように前記挿着穴２５に対してはきつく挿入し、係止穴１５に対しては抜き差しが容易なように若干緩めとなる直径の円柱体である。
【００１３】
これらの各構成部材は、図６〜８に示すように前記錠桿２の挿着穴２５に突桿６を前記垂直孔１６の長さａより若干短い寸法を表出するように圧入し、押圧桿３の小経部３２にスプリング４を取付け、この状態で錠桿３の案内穴２４にスプリング４を取り付けた小経部３２側から挿入する。次に、前記錠桿２の割溝２２内に前記連結環本体１の結合片１３を挿入したあと、前記軸摺動孔１４と軸孔２６ａ，２６ｂとを位置を合わせしてから枢軸５を挿通し、前記錠桿２の軸孔２６ａ，２６ｂから外側に食み出した部分をかしめて両者を結合して結合部２７を構成する。
この場合、図６に示すように押圧桿３の大経部３１端は連結環本体１の端面１２ａにスプリング４により弾接し、錠桿２にかしめ手段を用いて取付けた枢軸５は、連結環本体１の軸摺動孔１４の他方を構成する水平孔１７の右端に位置し、結合片１３の垂直な根部壁１８に前記錠桿２の一方の湾曲側の端面２１ａが若干下方に下がった状態で衝突してこれ以上時計方向に回動しない状態で、錠桿２の突桿６の表出部は連結環本体１の係止穴１５からは完全に抜脱した状態にある。
【００１４】
連結環本体１の２個所の端部１１ａ，１１ｂ間を錠桿２で閉じる場合には、錠桿２が開いている状態、すなわち図６および図９に示すように枢軸５が前記水平孔１７内の右端位置Ｐ３（ｘ−ａ，ｙ＋ｂ）、前述したように垂直孔１６の長さａ＞突起の高さｈ，水平孔１７の長さｂ＞枢軸の直径ｄの２倍であると、スプリング４による付勢で枢軸５が水平孔１７の上壁１７ａに当接しこれ以上に上昇出来ずにいる前記した状態から、前記錠桿２を手で持ち枢軸５を水平孔１７に沿って左端位置Ｐ２（ｘ−ａ，ｙ）に移動させる。図７に示すように枢軸５が位置Ｐ２にある場合、このＰ２点を中心とした錠桿２の有離端は、図９に示すように方程式（ｘ−ａ）２＋ｙ２＝ｒ２で示す円周上を移動し、スプリング４の弾力に抗して枢軸５の位置をＰ２点に保持すれば、前記錠桿２を垂直に立てる過程と垂直に立てた状態でも突桿６の表出部と本体１の他方の端面１２ｂとは接触しない。
前記したスプリング４の弾力に抗する力を除けば、図８に示すように錠桿２の突起２５が連結環本体１の係止穴１５の真下に位置しているために、前記錠桿２はスプリング４で弾発され垂直孔１６に沿って上方に押し上げられ錠桿２の突桿６の表出部が連結環本体１の係止穴１５内に突入すると共に、枢軸５は垂直孔１６の前記上端位置Ｐ１に移動して施錠（ロック）状態になる。
【００１５】
施錠状態を解除するには、図７に示すように前記錠桿２をスプリング４の弾力に抗して押し下げれば、枢軸５は前記Ｐ１点から軸摺動孔１４の垂直孔１６に沿って下降する。前記枢軸５が前記垂直軸１６の下端Ｐ２点に達すれば錠桿２の突桿６の表出部が連結環本体１の係止穴１５内から完全に抜脱する。
この状態で前記錠桿２を時計方向に回動させれば、支障なく回動する。この回動操作と共に、前記錠桿２を右方向に引けば、枢軸５は水平孔１７に沿ってその右端Ｐ３位置に移動し、前述したように開放状態を維持することができる。
【考案の効果】
【００１６】
この第１の発明は、少なくとも２箇所の端部１１ａ，１１ｂを有する連結環本体１と、該連結環本体１の一方の端部１１ａに前記２箇所の端部間を繋ぐ錠桿２の一端を枢着し、前記錠桿２の他端が前記他方の端部１１ｂに接するか限りなく近接することで閉じる形式の連結環であって、前記連結環本体１の一方の端部１１ａを連結環本体１の厚み方向の両側から該本体の厚さに比し十分に薄くして結合片１３を形成して該結合片１３の根部にＬ字状の軸摺動孔１４を設け、前記錠桿２の一端に前記結合片１３の幅より若干幅広でその長さよりも深い割溝２２と該割溝２２と前記一端側に前記割溝２２と交差する一対の軸孔２６ａ，２６ｂとを設けて二股状の結合部２７とし、該結合部２７に形成の一方の軸孔２６ａから前記割溝２２内に挿入した前記結合片１３の軸摺動孔１４を通して他方の軸孔２６ｂに枢軸５を挿入して枢軸継ぎ手を形成し、前記連結環本体１の他方の端面１２ｂに穿設した係止穴１５と前記錠桿２の他方の端面２１ｂに前記係止穴１５内に挿入することで係止せしめる突桿６を植設すると共に、前記割溝２２の底部２３に押圧桿３と該押圧桿３の径小部３２に嵌着し該押圧桿を付勢するスプリング４を挿入し得る案内穴２４を設けたので、前記軸摺動孔ならびに枢軸と言う施錠機構が外部に露出していないので見栄えが良く、弾みで施錠状態が外れることが無いと言う効果を有する。
【００１７】
また、この第２の発明はＬ字状の軸摺動孔１４を構成する垂直孔１６の長さが前記突桿６の表出部が前記係止穴１５から抜け出るに十分な長さで、前記孔１４を構成する水平孔１７の長さが前記枢軸５の直径の２倍よりも若干長い長さとしたので、施錠状態からの開錠と開錠状態を保持でき鎖等を取り付ける場合に便利である等の効果を有する。
【００１８】
さらに、この第３の発明はＬ字状の軸摺動孔１４を構成する垂直孔１６の中心に対して本体の他方の端面に穿設した係止穴１５の中心線が若干反時計方向に傾斜しているので、開錠と開錠がスムーズに出来ると言う効果を有する。
【図面の簡単な説明】
【図１】この発明の連結環本体の斜視図。
【図２】この発明の連結環本体の横断面図。
【図３】この発明の錠桿の斜視図。
【図４】この発明の錠桿の横断面図。
【図５】押圧桿にスプリングを取り付けた状態の斜視図
【図６】連結環本体に対し錠桿が開いた位置で固定した状態を示す正面図。
【図７】連結環本体に対し錠桿が開くまたは閉じる途中の状態を示す正面図。
【図８】連結環本体に対し錠桿が閉じた位置で固定した状態を示す正面図。
【図９】錠桿の回動中心の移動に伴う動作説明図。
【符号の説明】
１：連結環本体
１１ａ，１１ｂ：端部
１２ａ，１２ｂ：端面
１３：結合片
１４：軸摺動孔
１５：係止穴
１６：垂直孔
１７：水平孔
２：錠桿
２１ａ，２１ｂ：端面
２２：割溝
２３：底部
２４：案内穴
２５：挿着穴
２６ａ，２３ｂ：軸孔
２７：結合部
３：押圧桿
３１：大径部
３２：小径部
４：スプリング
５：枢軸
６：突桿
【図１】
2004360783.tif 000003
【図２】
2004360783.tif 000004
【図３】
2004360783.tif 000005
【図４】
2004360783.tif 000006
【図５】
2004360783.tif 000007
【図６】
2004360783.tif 000008
【図７】
2004360783.tif 000009
【図８】
2004360783.tif 000010
【図９】
2004360783.tif 000011